(57)【要約】 【課題】  優れた密封性を有し、平易な構造であるため形状的な制限も受けずに意匠性（デザイン性）も良好なスライダ付きチャックテープ、及び当該スライダ付きチャックテープを備えた袋体を提供すること。【解決手段】互いに咬み合わさる一対の咬合部５０を備えたチャックテープ２０と、当該チャックテープ２０に対して設けられ、チャックテープ２０の長手方向に沿って移動させることにより前記咬合部５０の開放及び閉止を行うスライダ３０を備えたスライダ付きチャックテープ４０であって、前記チャックテープ２０及び前記スライダ３０の形状を特定のものとしたことを特徴とするスライダ付きチャックテープ４０。【選択図】図２
2005152316.tif 000002
【特許請求の範囲】
【請求項１】
互いに咬み合わさる一対の咬合部を備えたチャックテープと、当該チャックテープに対して設けられ、チャックテープの長手方向に沿って移動させることにより前記咬合部の開放及び閉止を行うスライダを備えたスライダ付きチャックテープであって、
前記チャックテープは、前記咬合部の上方に対して第１のポスト及び第２のポスト、及び咬合部の背面に２本の突起からなるピンチ用リブをそれぞれ備え、
前記スライダの内部には、前記咬合部の背面に存在する側壁部に対して前記ピンチ用リブを収納する溝部を備え、当該溝部の巾が前記咬合部の閉止側から開放側に向かって狭くなることを特徴とするスライダ付きチャックテープ。
【請求項２】
互いに咬み合わさる一対の咬合部を備えたチャックテープと、当該チャックテープに対して設けられ、チャックテープの長手方向に沿って移動させることにより前記咬合部の開放及び閉止を行うスライダを備えたスライダ付きチャックテープであって、
前記チャックテープは、前記咬合部の上方に対して第１のポスト及び第２のポストを備え、
前記スライダの内部には、前記咬合部の背面に存在する側壁部に突起部を備え、当該突起部の高さが前記咬合部の閉止側から開放側に向かって高くなっていることを特徴とするスライダ付きチャックテープ。
【請求項３】
請求項１または請求項２に記載のスライダ付きチャックテープにおいて、
前記スライダの内部には、当該スライダを構成する上壁部から垂下し、前記側壁部との間に前記第１のポスト及び第２のポストの少なくとも一方を挿入する分離体を備え、前記分離体が前記咬合部の開放側に向かって前記側壁部との巾を狭めるような傾斜を付けて配設されていることを特徴とするスライダ付きチャックテープ。
【請求項４】
請求項１ないし請求項３の何れかに記載のスライダ付きチャックテープにおいて、
前記側壁部がスライダの内部において咬合部の開放側に向かって外側へ傾斜を付けて配設されていることを特徴とするスライダ付きチャックテープ。
【請求項５】
請求項１ないし請求項４の何れかに記載のスライダ付きチャックテープにおいて、
前記チャックテープが脱落防止用リブを備え、
前記スライダが前記脱落防止用リブを収納するリブ収納部を備えることを特徴とするスライダ付きチャックテープ。
【請求項６】
請求項１ないし請求項５の何れかに記載のスライダ付きチャックテープにおいて、
前記チャックテープが、前記脱落用防止リブの背面に支柱を備えることを特徴とするスライダ付きチャックテープ。
【請求項７】
請求項１ないし請求項６のスライダ付きチャックテープを備えたことを特徴とする袋体。
【発明の詳細な説明】
【技術分野】
【０００１】
本発明は、スライダ付きチャックテープ、及び当該チャックテープを備えた袋体に関する。
【背景技術】
【０００２】
従来より、食料品、医薬品、電子部品、事務用品等の各種物品を包装するための包装材として、チャックテープを備えた袋体が使用されている。また、当該チャックテープの開口部に対して開閉を反復して行うためのスライダを配設して、スライダをチャックテープの長手方向に沿って移動させることにより、当該開口部を自在に開閉するスライダ付きチャックテープが知られている。
【０００３】
このような開口部の開閉を自在に行うことのできるスライダ付きチャックテープとしては、雌雄咬合する一対の咬合部材を備えたチャックテープの開口部に対して、側壁部および上壁部を備えるスライダが跨るように装着されるのが一般的である。そして、スライダの上壁部の内側には、一対の咬合部材を分離する分離部が形成されており、当該分離部がチャックテープの咬合部材を開かせ、側壁部がチャックテープの咬合部材を閉じることによりスライダの開閉を行う構成のものが適用されている。
【０００４】
しかしながら、このような従来のタイプのスライダ付きチャックテープは、密封性に欠けるために、文具類や雑貨を収納するような、密閉性をさほど必要としない用途には使用されているが、その他の商品への展開はほとんどされていないのが実状であった。従って、かかるスライダ付きチャックテープに関する密閉性の改善が強く望まれていた。
【０００５】
スライダ付きチャックテープにおける密閉性を改善する技術としては、例えば、連結部材を各々有した第１のプロフィルおよび第２のプロフィルを具備して、第１のプロフィルの連結部材から遠方に位置する第１のプロフィルのベースの末端を、第２のプロフィルのベースに向かって押圧して第１のプロフィルを支点部回りに回動させることにより、係合状態にある当該連結部材を分離させることができる再閉止可能なスライダ付きチャックテープ（ジッパ）についての技術が提供されている（例えば、特許文献１）。また、前記技術に関連するものとしては、スライダを備えた再閉止自在のチャックテープに関し、最初にチャックテープ（ジッパー）を底部で一体に押圧し、次いで、頂部に向けて転動して閉じることにより閉まる転動動作可能なチャックテープについての技術も提供されていた（例えば、特許文献２）。
【０００６】
【特許文献１】特開２００２−２３２９０７号公報
【特許文献２】特表平１０−５０１７１３号公報
【発明の開示】
【発明が解決しようとする課題】
【０００７】
しかしながら、前記特許文献１に開示された技術は、チャックテープ（ジッパ）の下部をスライダが押圧してテープを開閉する構造からなるものであった。そのためテープの形状は台形（末広がり）に限定されるので、製袋加工時に袋体にシワ等が生じるほか、チャックテープ端部の潰し難さ等から生産性が落ちるという問題が発生していた。
また、前記特許文献２に開示される技術は、前記した特許文献１が有する問題があるほか、テープが容易に開閉してしまうために咬合強度のでにくい形状に限定されてしまう等、用途の広がりにも制約を生じるものであった。
【０００８】
従って、本発明の目的は、優れた密封性を有し、平易な構造であるため形状的な制限も受けずに意匠性（デザイン性）も良好なスライダ付きチャックテープ、及び当該スライダ付きチャックテープを備えた袋体を提供することにある。
【課題を解決するための手段】
【０００９】
前記の課題を解決するために、本発明の第１発明のスライダ付きチャックテープは、互いに咬み合わさる一対の咬合部を備えたチャックテープと、当該チャックテープに対して設けられ、チャックテープの長手方向に沿って移動させることにより前記咬合部の開放及び閉止を行うスライダを備えたスライダ付きチャックテープであって、前記チャックテープは、前記咬合部の上方に対して第１のポスト及び第２のポスト、及び咬合部の背面に２本の突起からなるピンチ用リブをそれぞれ備え、前記スライダの内部には、前記咬合部の背面に存在する側壁部に対して前記ピンチ用リブを収納する溝部を備え、当該溝部の巾が前記咬合部の閉止側から開放側に向かって狭くなることを特徴とするものである。
【００１０】
ここで、本発明のスライダ付きチャックテープを形成するスライダを構成する材料は、可撓性を有する材料であれば、特に制限なく公知の樹脂材料を好適に使用することができるが、例えば、ポリアミド（ナイロン）系樹脂、ポリプロピレン系樹脂、ポリスチレン系樹脂、ＡＢＳ（Acrylonitrile-Butadiene-Styrene）系樹脂等の樹脂材料を適宜使用することができる。
【００１１】
また、チャックテープを構成する材料は、咬合性能、袋本体を構成するフィルムやシートの内面への熱溶着性を考慮して、低密度ポリエチエン（ＬＤＰＥ）系樹脂、ポリプロピレン系樹脂、エチレン−α・オレフィン共重合体樹脂、エチレン−アクリル酸共重合体樹脂等を適宜使用することができる。
【００１２】
この第１発明のスライダ付きチャックテープは、スライダ内部に、チャックテープに設けられる２本の突起からなるピンチ用リブを収納する溝部が設けられており、当該溝部の巾がチャックテープの咬合部の閉止側から開放側に向かって狭くなっているため、当該溝の巾の広狭によりチャックテープに設けられたピンチ用リブの巾を調節する。また、かかる調節に連動して、咬合部の咬合状態をも調節することができるため、咬合部の開放と閉止を確実に行うことができ、密封性に優れたスライダ付きチャックテープを提供することを可能とする。
【００１３】
また、かかる本発明の第１発明のスライダ付きチャックテープは、平易な構造からなり、必要とされる部品の点数も少なく、当該部品の形状も複雑とならないものである。従って形状的な制約が少なく、意匠性（デザイン性）も良好で、多岐の用途に適用可能となる。
【００１４】
次に、第２発明のスライダ付きチャックテープは、互いに咬み合わさる一対の咬合部を備えたチャックテープと、当該チャックテープに対して設けられ、チャックテープの長手方向に沿って移動させることにより前記咬合部の開放及び閉止を行うスライダを備えたスライダ付きチャックテープであって、前記チャックテープは、前記咬合部の上方に対して第１のポスト及び第２のポストを備え、前記スライダは、前記咬合部の背面に存在する側壁部に対して突起部を備え、当該突起部の高さが咬合部の閉止側から開放側に向かって高くなることを特徴とするものである。
【００１５】
この本発明の第２発明によれば、スライダ内部に突起部を設け、当該突起部の高さが咬合部の閉止側から開放側に向かって高くなっているため、当該突起部の高さによりチャックテープの背面部を押す力の強さを調節する。そして、かかる調節に連動して、咬合部の咬合状態をも調節することができるため、前記した第１発明と同様、咬合部の開放と閉止を確実に行うことができ、密封性に優れたスライダ付きチャックテープを提供することを可能とする。
【００１６】
また、第２発明のスライダ付きチャックテープも、第１発明と同様に、平易な構造からなり、必要とされる部品の点数も少なく、当該部品の形状も複雑とならないものである。従って、形状的な制約が少なく、意匠性（デザイン性）も良好となり、前記した多岐の用途に適用することができる。
【００１７】
なお、スライダ付きチャックテープを形成するスライダ及びチャックテープを構成する材料としては、前記した第１発明のところで述べた樹脂材料と同様なものを適宜使用すればよい。
【００１８】
本発明のスライダ付きチャックテープは、前記スライダの内部には、当該スライダを構成する上壁部から垂下して、前記側壁部との間に前記第１のポスト及び第２のポストの少なくとも一方を挿入する分離体を備え、前記分離体が咬合部の開放側に向かって前記側壁部との巾を狭めるような傾斜を付けて配設されていることが好ましい。
この本発明によれば、スライダの内部には分離体が設けられ、当該分離体が咬合部の開放側に向かって前記側壁部との巾を狭めるような傾斜を付けて配設されていることにより、咬合部の開閉状態の調節を好適に行うことができ、密封性に一層優れたスライダ付きチャックテープの提供を可能とする。
【００１９】
本発明のスライダ付きチャックテープは、前記側壁部がスライダ内部において咬合部の開放側に向かって外側へ傾斜を付けて配設されていることが好ましい。
この本発明によれば、側壁部がスライダ内部において咬合部の開放側に向かって外側へ傾斜を付けて配設されていることより、咬合部の開閉状態の調節を更に好適に行うことができ、密封性により一層優れたスライダ付きチャックテープの提供を可能とする。
【００２０】
本発明のスライダ付きチャックテープは、前記チャックテープが脱落防止用リブを備え、
前記スライダが前記脱落防止用リブを収納するリブ収納部を備えることが好ましい。
この本発明によれば、チャックテープが脱落防止用リブを備え、かつ、スライダが当該脱落防止用リブを収納するリブ収納部を備えていることにより、スライダとチャックテープが一体化され、スライダがチャックテープから外れて脱落することを確実に防止することができる。
【００２１】
本発明のスライダ付きチャックテープは、前記チャックテープが、前記脱落用防止リブの背面に支柱を備えることが好ましい。
この本発明によれば、チャックテープが脱落防止用リブの背面に支柱を備えていることにより、スライダ付きチャックテープを構成する際のチャックテープの形状を保持することができる。
【００２２】
本発明の袋体は、前記したスライダ付きチャックテープを備えたことを特徴とするものである。
この本発明によれば、前記した作用・効果を好適に享受する袋体を提供することが可能となる。
また、かかる袋体は、例えば、包装対象となる食料品、医薬品、電子部品、事務用品等の各種物品を収納する開口部を有する袋本体に対して、前記したスライダ付きチャックテープを熱溶着等により溶着して備えるようにすればよい。
ここで、前記した袋本体は、熱可塑性樹脂からなる１枚のシートやフィルムを半折りにして袋状に形成したものや、熱可塑性樹脂からなる２枚のシートやフィルムを重ね合わせたものを袋状に加工したもの等を好適に使用することができる。熱可塑性樹脂としては、特に制限はないが、シート（フィルム）成形を容易に実施することができる等の理由により、ポリエチレン系樹脂、ポリプロピレン系樹脂等のポリオレフィン系樹脂を使用することができる。
【発明を実施するための最良の形態】
【００２３】
以下、本発明の実施形態を図面に基づいて説明する。
［第１実施形態］
図１に、本発明の第１実施形態に係る袋体１の概略図を示す。かかる袋体１は、袋本体１０と、チャックテープ２０及びスライダ３０からなるスライダ付きチャックテープ４０を基本構成として備えるものである。
そして、袋体１は、スライダ３０をチャックテープ２０の長手方向に移動させるにより、開口部１２の開閉（開放及び閉止）を自在に行うことができる。
【００２４】
この袋本体１０は、例えば、矩形状のポリエチレン製シートを半折りして、半折りした端縁の両端から延びる互いに対向する一対の端縁を熱溶着等により接着してヒートシール部１１を形成した矩形状の袋として構成される、また、ヒートシール部１１で挟まれ、かつ半折りした端縁と対向する部分には、電子部品、薬品等の各種物品を収納する開口部１２が形成されている。
【００２５】
また、図２は、スライダ付きチャックテープ４０の閉止方向から見た図であり、チャックテープ２０及びスライダ３０からなるスライダ付きチャックテープ４０の構造が示されている。
【００２６】
（ チャックテープ２０の構成 ）
本実施形態におけるチャックテープ２０は、第１テープ体２１、および第２テープ体２２を備えて構成されている。
また、チャックテープ２０を構成する第１テープ体２１は、ポリエチレン等の熱可塑性樹脂から構成される成形体であり、チャック基部２１０に対して、第１ポスト２１１、チャック凹部２１２、及びピンチ用リブ２１３を基本構成として備えている。
【００２７】
第１ポスト２１１は、チャック基部２１０及び後記するチャック凹部２１２の上方に形成されており、チャックテープ２０が袋本体１０に取り付けられた状態にあっては、袋本体１０を構成するシート面に沿って、かかる袋本体１０の外部に延出する部分である。また、第１ポストのスライダ３０が跨る部分については、スライダ３０の内部に形成されている第１分離体３５と側壁部３１との間に挟み込まれている。この第１ポスト２１１は、第１テープ体２１の長さ方向に沿って連続的に形成されている。
【００２８】
チャック凹部２１２は、後記する第２テープ体２２に設けられるチャック凸部２２２と咬み合わされて咬合部５０を形成する略Ｃ字型形状の部材であり、当該空間部２１７と当該チャック凸部２２２の先端部２２５が咬合することになる。本実施形態においては、チャック凹部２１２の先端部には、チャック凸部２２２の先端部２２５との咬み合わせを好適に行うべく、爪部２１４が形成されており、当該爪部２１４とチャック凸部２２２の先端部２２５とが咬み合わさることになる。このチャック凹部２１２は、第１テープ体２１の長さ方向に沿って連続的に形成されている。
【００２９】
ピンチ用リブ２１３は、チャック基部２１０を介して前記したチャック凹部２１２の背面側に配設され、チャック基部２１０から外部（咬合部５０と反対の方向。チャック基部２１０の左側）に向かって２本の突起２１３Ａ，２１３Ｂが突出して形成されている。かかるピンチ用リブ２１３を構成する突起２１３Ａ，２１３Ｂの形状は、図２に示すように、外側に向かって鋭角状に張り出すようにして設けられている。
【００３０】
また、第１テープ体２１においては、ピンチ用リブ２１３の巾、具体的には当該リブ２１３における突起２１３Ａ，２１３Ｂの間の巾と、咬合部５０を構成するチャック凹部２１２の開閉とが連動する。
図３は、ピンチ用リブ２１３の形状とチャック凹部２１２の開閉状態との関係を示したものである。すなわち、図３（Ａ）に示すように、ピンチ用リブ２１３が通常の形状を維持している状態においては、チャック凹部２１２は閉じた状態であるが、図３（Ｂ）に示すように、ピンチ用リブ２１３に対して矢印方向の応力がかかり、ピンチ用リブ２１３を構成する突起２１３Ａ，２１３Ｂの巾が狭くなると、チャック基部２１０に対して反対側に存在するチャック凹部２１２が開いた状態となる。このようにして、ピンチ用リブ２１３における突起２１３Ａ，２１３Ｂの間の巾と、咬合部５０を構成するチャック凹部２１２との開閉状態とが連動するのである。
【００３１】
そして、本実施形態においては、ピンチ用リブ２１３はスライダ３０の内部に形成されている溝部３４に収納され、当該溝部３４の巾がある程度広く、溝部３４からピンチ用リブ２１３に対して当該リブ２１３を内側に狭めるような応力がかからないときは、ピンチ用リブ２１３は通常の形状を保ち、チャック凹部２１２は閉じた状態となって、チャック凸部２２２と咬み合わさることになる。
【００３２】
一方、ピンチ用リブ２１３を収納する溝部３４の巾が狭くなり、当該溝部３４からピンチ用リブ２１３に対して当該リブ２１３を内側に狭めるような応力がかかる場合には、ピンチ用リブ２１３は内側に狭められる。従って、突起２１３Ａ，２１３Ｂとの間の巾が狭くなり、これに連動してチャック凹部２１２が開くことになり、チャック凸部２２２との咬合状態が開放されることになる。
このピンチ用リブ２１３は、前記したチャック凹部２１２と同様に、第１テープ体２１の長さ方向に沿って連続的に形成されている。
【００３３】
なお、このチャック基部２１０の下端には、溶着シール部２１６が設けられ、この溶着シール部２１６を、袋本体１０を構成するシートの内面に熱溶着等により接着され、チャックテープ付きの袋体１を形成する。
【００３４】
次に、第２テープ体２２は、第１テープ体２１と同様にポリエチレン等の熱可塑性樹脂から構成される成形体であり、チャック基部２２０に対して、第２ポスト２２１、チャック凸部２２２、支柱２２３、脱落防止用リブ２２４を基本構成として備えている。
【００３５】
第２ポスト２２１は、第１ポスト２１１と同様に、チャック基部２２０及びチャック凸部２２２の上方に形成されており、チャックテープ２０が袋本体１０に取り付けられた状態にあっては、袋本体１０を構成するシート面に沿って、かかる袋本体１０の外部に延出する部分である。また、第２ポスト２２１のスライダ３０が跨る部分については、スライダ３０の内部に形成されている第２分離体３６と右側壁部３１Ｂとの間に挟み込まれている。この第２ポスト２２１は、第２テープ体２２の長さ方向に沿って連続的に形成されている。
【００３６】
チャック凸部２２２は、第１テープ体２１におけるチャック凹部２１２に対応した位置に突出して設けられており、略キノコ傘状の先端部２２５を備えている。そして、本実施形態では、前記したように、かかる先端部２２５とチャック凹部２１２の空間部２１７が咬合することになり、具体的には先端部２２５の根元にチャック凹部２１２に設けられた爪部２１４が引っかかって咬み合わさることとなる。また、このチャック凹部２１２は、第２テープ体２２の長さ方向に沿って連続形成されている。
【００３７】
支柱２２３は、前記したチャック凸部２２２の下部に設けられており、チャックテープ２０の形状を保持するはたらきをする。この支柱２２３は、第２テープ体２２の長さ方向に沿って連続形成されている。
【００３８】
脱落防止用リブ２２４は、前記した支柱２２３に対して、チャック基部２２０の背面側に設けられている。この脱落防止用リブ２２４は、スライダ内部に設けられるリブ収納部３７に収納されることにより、スライダ３０の第２テープ体２２からの脱落を防止することができる。
【００３９】
このような第１テープ体２１の溶着シール部２１６と第２テープ体２２の溶着シール部２２６が袋本体１０の開口部１２の端縁に沿って熱溶着等により接着される。そして、図１に示すように、閉止方向端部において、第１テープ体２１および第２テープ体２２同士を熱溶着したシール部２３が形成されることによって、両者は一体化されることになる。
【００４０】
（ スライダ３０の構成 ）
本実施形態におけるスライダ３０は、図２に示されるように、互いに対向配置される左側壁部３１Ａ及び右側壁部３１Ｂからなる側壁部３１と、かかる一対の側壁部３１の上端部分を連結する上壁部３２を備えた断面コ字形のスライダ本体３３と、左側壁部３１の内面部に形成される溝部３４と、上壁部３２の内側から垂下される第１分離体３５および第２分離体３６とを基本構成として備えている。
なお、図４ないし図６は、それぞれスライダの正面図（図４。なお、図中破線は奥側である左側壁部３１Ａにおける形状を示している）、底面図（図５）、図５のVI−VI断面図（図６）を示すものである。
【００４１】
スライダ３０を構成する左側壁部３１Ａ及び右側壁部３１Ｂは、前記したように互いに対向して配置されている。
また、本実施形態においては、左側壁部３１Ａには、溝部３４が設けられている。かかる溝部３４は、第１テープ体２１に設けられているピンチ用リブ２１３を収納しており、２本のピンチ用リブ２１３の形状に併せて、溝部３４の断面が略台形状になるように設けられている。
【００４２】
この溝部３４は、図４におけるスライダ３０の正面図から見て略中央位置から閉止側（図４の右方向）に向って、その巾が狭くなるように形成されている。溝部３４がかかる形状をとり、溝部３４に収納されるピンチ用リブ２１３における突起２１３Ａ，２１３Ｂとの間の巾を広狭させることにより、当該ピンチ用リブ２１３の巾に連動するチャック凹部２１２の開閉状態を調整することとなる。
【００４３】
上壁部３２は、前記した左側壁部３１Ａと右側壁部３１Ｂの上端部分を連結する部分であり、スライダ３０がチャックテープ２０に装着されてスライダ付きチャックテープ４０を構成するにあたり、その内面部が第１テープ体２１の第１ポスト２１１、及び第２テープ体２２の第２ポスト２２１の上端部と略当接することとなる。
そして、図２に示されるように、スライダ３０全体がチャックテープ２０に跨るような状態となって構成されている。
【００４４】
第１分離体３５は、本実施形態においては、スライダ３０の底面図である図５、及びスライダ３０の断面図である図６に示されるように、スライダ３０の略中央位置から閉止側（図５の右方向）に向って、スライダ３０の左側壁部３１Ａに沿って、上壁部３２の内側から垂下される板状突起として設けられている。
また、第１分離体３５は、図５に示されるように、スライダ３０の左側壁部３１Ａに対して、当該左側壁部３１Ａとの巾を狭めるように傾斜が付けられて配設されている。
そして、スライダ３０をチャックテープ２０に装着する際には、左側壁部３１Ａと第１分離体３５との間に第１ポスト２１１が挿入される。
【００４５】
一方、第２分離体３６は、本実施形態においては、図４におけるスライダ３０の正面図から見て略中央位置から閉止側（図５の右方向）に向って、上壁部３２の内側から垂下される板状突起として設けられ、スライダ３０をチャックテープ２０に装着する際において、右側壁部３１Ｂと第２分離体３６との間に第２ポストが挿入されることになるという点においては第１分離体３５と共通し、また、図５に示されるように、スライダ３０の右側壁部３１Ｂに対して、当該右側壁部３１Ｂとの巾を狭めるように傾斜が付けられて配設されている。
【００４６】
第１分離体３５及び第２分離体３６は、このようにそれぞれ傾斜を付けて配設されていることにより、スライダ３０を閉止方向にスライドさせた際において、第１テープ体２１の第１ポスト２１１と第２テープ体２２の第２ポスト２２１、ないしは咬合部５０におけるチャック凹部２１２とチャック凸部２２２を互いに遠ざけるようにする案内面のはたらきをする。
【００４７】
また、本実施形態においては、第２分離体３６におけるこの傾斜は、スライダ３０に形成される前記した溝部３４の巾が狭くなるのに対応して設けられている。従って、スライダ３０を開放方向にスライドさせると、溝部３４に収納されるピンチ用リブ２１３の巾に連動してチャック凹部２１２が開いて咬合部５０の咬合状態が開放されるとともに、第１テープ体２１の第１ポスト２１１と第２テープ体２２の第２ポスト２２１とが互いに遠ざかることになって、開口部１２が開放状態とされる。
【００４８】
そして、右側壁部３１Ｂの内面部に対して形成されたリブ収納部３７は、前記した第２テープ体２２の脱落防止用リブ２２４に対応する位置に設けられており、当該脱落防止用リブ２２４を収納することにより、スライダ３０の第２テープ体２２からの脱落を防止することができる。
【００４９】
次に、チャックテープ２０にスライダ３０を備えたスライダ付きチャックテープ４０において、図４に示すスライダ３０の正面図における（Ａ）（Ｂ）（Ｃ）の各位置に対応したチャックテープ２０の咬合部５０の咬合状態を、図７を用いて説明する。
まず、図４の位置（Ａ）においては、スライダ３０内部に設けられる溝部３４の巾も、第１テープ体２１におけるチャック凹部２１２の背面に設けられているピンチ用リブ２１３を収納するのに十分な大きさの巾である。従って、チャックテープ２０における咬合部５０は、図７（Ａ）に示すように、チャック凹部２１２は閉じた状態にあり、第２テープ体２２におけるチャック凸部２２２と咬合した状態にある。また、この位置においては、スライダ３０内部における第２分離体３６は存在しない。
【００５０】
次に、図４の位置（Ｂ）においては、溝部３４の巾が狭くなるため、当該溝部３４からピンチ用リブ２１３に対して当該リブ２１３を内側に狭めるような応力がかかることになる。従って、ピンチ用リブ２１３は内側に狭められ、これに連動してチャック凹部２１２が開くことになる。
また、この位置では、スライダ３０内部において第１分離体３５が第１テープ体２１における第１ポスト２１１を咬合部５０から遠ざけるような傾斜を有して、また、第２分離体３６が、第２テープ体２２における第２ポスト２２１を咬合部５０から遠ざけるような傾斜を有して存在することになる。これによってチャック凹部２１２が開いた咬合部５０から、チャック凹部２１２とチャック凸部２２２が離れていくことになり、図７（Ｂ）に示すように、咬合部５０におけるチャック凹部２１２とチャック凸部２２２との咬合状態が開放されることになる。
【００５１】
更には、図４の位置（Ｃ）においては、溝部３４の巾は、図４（Ａ）と同様に、ピンチ用リブ２１３を収納するのに十分な大きさの巾に戻ることになるが、図４（Ｂ）において咬合状態でなくなり、開放状態となったチャック凹部２１２とチャック凸部２２２が、第１分離体３５、第２分離体３６の傾斜により更に離れた状態となるため、図７（Ｃ）に示すように、咬合部５０は開ききった状態となる。
【００５２】
そして、本実施形態におけるスライダ付きチャックテープ４０を備えた袋体１は、スライダ３０をチャックテープ２０に沿ってスライドさせることにより、前記した図７ないし図９の咬合部５０の開閉状態が平行移動して、袋体１の開閉を自在に行うことができる。
つまり、図１において、袋体１の開口部１２を開放状態にするには、スライダ３０を右から左に移動させると、スライダ３０の内部に設けられた溝部３４の巾と、第１分離体３５及び第２分離体３６の傾斜により、前記した図７（Ａ）から図７（Ｃ）におけるチャックテープ２０の咬合部５０の状態が当該スライダの移動とともに平行移動して、第１テープ体２１におけるチャック凹部２１２と、第２テープ体２２におけるチャック凸部２２２との咬合状態が開放されて、袋体１の開口部１２が開放されることになる。
【００５３】
一方、開口状態にある袋体１の開口部１２を閉止状態とする場合には、図１においてスライダ３０を左から右に移動させると、同様に、前記した図７（Ｃ）から図７（Ａ）（前記した状態と逆向き）におけるチャックテープ２０の咬合部５０の状態が当該スライダの移動とともに平行移動して、第１テープ体２１におけるチャック凹部２１２と、第２テープ体２２におけるチャック凸部２２２との咬合が再び行われて、これにより袋体１の開口部１２が閉止されることになる。
【００５４】
前記した構成のチャックテープ２０及びスライダ３０を有する本実施形態のスライダ付チャックテープ４０を備えた、図１に示されるような袋体１は、例えば、次のようにして製造することができる。
まず、連続供給される袋本体１０を構成するフィルムを幅方向に半折、スリットして袋本体１０を構成する２つの側面とする。チャックテープ２０を連続してフィルムの進行方向に平行に供給して、スライダ３０は材料の可撓性を利用して変形させることによりチャックテープ２０を跨ぐかたちで装着され、スライダ付きチャックテープ４０となる、スライダ付きチャックテープ４０は、２つの側面の内側に挟まれるかたちで入り、２つの側面の上端部分と第１テープ体２１の溶着シール部２１６、第２テープ体２２の溶着シール部２２６がそれぞれヒートシールされた後、フィルムの進行方向と垂直方向に袋の開口間隔でサイドシールされ、袋体１ごとにカットされる。スライダ３０の取り付け以外については、公知の製袋技術によって製造可能である。
【００５５】
以上のような第１実施形態のスライダ付きチャックテープ４０及び当該チャックテープを備えた袋体１によれば、次のような効果がある。
（１）スライダ３０の内部に、チャックテープ２０に設けられる２本の突起部２１３Ａ，２１３Ｂからなるピンチ用リブ２１３を収納する溝部３４が設けられており、かつ、当該溝部３４の巾がチャックテープ２０の咬合部５０の閉止側から開放側に向かって狭くなっているため、当該溝部３４の巾の広狭によりチャックテープ２０に設けられたピンチ用リブ２１３の巾を調節する。また、かかる調節に連動して、咬合部５０の咬合状態をも調節することができるため、咬合部５０の開放と閉止を確実に行うことができ、密封性に優れたスライダ付きチャックテープ４０を提供する。
【００５６】
（２）スライダ付きチャックテープ４０が平易な構造からなるため、必要とされる部品の点数も少なく、また、当該部品の形状も複雑とならない。従って、形状的な制約が少なく、意匠性（デザイン性）にも良好なものとなる。
【００５７】
（３）スライダ３０の内部には第１分離体３５と第２分離体３６が設けられ、当該分離体３５，３６が咬合部５０の開放方向に向かって側壁部３１との巾を狭めるような傾斜を付けて配設されていることにより、咬合部５０の開閉状態の調節を好適に行うことができ、密封性に一層優れたスライダ付きチャックテープ４０の提供を可能とする。
【００５８】
（４）チャックテープ２０が脱落防止用リブ２２４を備え、かつ、スライダ３０が当該脱落防止用リブ２２４を収納するリブ収納部３７を備えていることにより、スライダ３０とチャックテープ２０が一体化され、スライダ３０がチャックテープ２０から外れて脱落することを確実に防止することができる。
（５）チャックテープ２０が脱落防止用リブ２２４の背面に支柱２２３を備えていることにより、スライダ付きチャックテープ４０を構成する際のチャックテープ２０の形状を保持することができる。
【００５９】
［第２実施形態］
次に本発明の第２実施形態を説明する。なお、以下の説明では既に説明した部分や部材と同一のものは、同一符号を付してその説明を簡略した。
前述した第１実施形態においては、スライダ付きチャックテープ４０を備えた袋体１におけるチャックテープ２０の咬合部５０は、第１テープ体２１に設けられた略Ｃ字形状のチャック凹部２１２と、第２テープ体２２に設けられた略キノコ傘状の先端部２２５を備える突起物であるチャック凸部２２２により形成されるものであった。
【００６０】
これに対して、第２実施形態に係るチャックテープ２０の咬合部５０は、図８に示されるように、第１テープ体２１に対して前記した形状のチャック凹部２１２の代わりに、先端に爪部２１４ｂを有する略ハの字形状のチャック凹部２１２ｂが形成されており、また、第２テープ体２２に対して前記した形状のチャック凸部２２２の代わりに、２つの鈎爪形状のチャック凸部２２２ｂが形成されている点について相違する。
【００６１】
図８は、本実施形態に係るスライダ付きチャックテープ４０を閉止方向から見た図である。図８に示されるように、本実施形態の第１テープ体２１に形成されたチャック凹部２１２ｂは、先端に爪部２１４ｂを有する略ハの字形状からなるものであるが、当該チャック凹部２１２ｂの開閉については、第１実施形態で示したチャック凹部２１２と同様に、チャック凹部２１２ｂの背面に設けられたピンチ用リブ２１３における突起２１３Ａ，２１３Ｂの間の巾の広狭により連動するものである。
【００６２】
図９は、ピンチ用リブ２１３の形状とチャック凹部２１２ｂの開閉状態との関係を示したものである。図９（Ａ）に示すように、ピンチ用リブ２１３が通常の形状を維持している状態においては、チャック凹部２１２ｂは略ハの字形状を保った状態であるが、図９（Ｂ）に示すように、ピンチ用リブ２１３に対して矢印方向の応力がかかり、ピンチ用リブ２１３を構成する突起２１３Ａ，２１３Ｂとの巾が狭くなると、チャック基部２１０に対して反対側に存在するチャック凹部２１２ｂが開いた状態となる。このようにして、ピンチ用リブ２１３における突起２１３Ａ，２１３Ｂの間の巾と、咬合部５０を構成するチャック凹部２１２ｂとの開閉状態とが連動することになる。
【００６３】
図１０は、スライダ３０の底面図を示したものであるが、本実施形態においては、スライダ３０の左側壁部３１Ａとの間に第１ポスト２１１を挿入する第１分離体３５は、前記した第１実施形態と同様に左側壁部３１Ａに向かって傾斜が付けられて配設されており、また、スライダ３０の右側壁部３１Ｂとの間に第２ポスト２２１を挿入する第２分離体３６は、前記した第１実施形態と同様に右側壁部３１Ｂに向かって傾斜が付けられて配設されている。そして、当該右側壁部３１Ｂについても、当該第２分離体３６に沿って外側に向かって傾斜が付けられた状態で配設されているものである。
このようにして、第１分離体３５及び第２分離体３６のほか右側壁部３１Ｂにも外側に向かった傾斜が付けられていることにより、左側壁部３１Ａと第１分離体３５との間を第１ポスト２１１が通過し、また、右側壁部３１Ｂと第２分離体３６との間を第２ポスト２２１が通過するに従って、咬合部５０のチャック凹部２１２ｂとチャック凸部２２２ｂとが離れることになる。
【００６４】
また、図１０に示すスライダ３０のXI−XI断面図を図１１に示す。当該図１１に示されるように、スライダ３０に形成される溝部３４は、スライダ３０の左側から中央に向かってその巾が狭くなり、巾が狭い状態がしばらく続いた後、再度巾が広くなるように形成されている。そして、溝部３４の巾が広い位置においては、かかる溝部３４に収納されるピンチ用リブ２１３には、ピンチ用リブ２１３を構成する突起２１３Ａ，２１３Ｂとの巾が狭くなるような応力がかかるため、当該巾が狭くなるのと連動して、チャック凹部２１２ｂが開いた状態となる。
【００６５】
本実施形態のチャックテープ２０にスライダ３０を備えたスライダ付きチャックテープ４０において、図１１に示したスライダ３０の断面図での（Ａ）（Ｂ）（Ｃ）（Ｄ）の各位置に対応するチャックテープ２０の咬合部５０の状態を、図１２を用いて説明する。
まず、図１１の位置（Ａ）においては、スライダ３０内部に設けられる溝部３４の巾も、第１テープ体２１におけるチャック凹部２１２ｂの背面に設けられているピンチ用リブ２１３を収納するのに十分な大きさの巾である。従って、チャックテープ２０における咬合部５０の状態は、図１２（Ａ）に示すように、チャック凹部２１２ｂは閉じた状態にあり、第２テープ体２２におけるチャック凸部２２２ｂと咬合した状態にある。また、この位置においては、スライダ３０内部において、第１分離体３５及び第２分離体３６はまだ存在しない。
【００６６】
次に、図１１の位置（Ｂ）においては、前記した位置（Ａ）に比べて溝部３４の巾が狭くなるため、当該溝部３４からピンチ用リブ２１３に対して当該リブ２１３を内側に狭めるような応力がかかることになる。従って、ピンチ用リブ２１３は内側に狭められ、これに連動してチャック凹部２１２ｂが開くことになる。また、この位置においては、スライダ３０内部において、第１分離体３５と左側壁部３１Ａが、第１テープ体２１における第１ポスト２１１を咬合部５０から遠ざけるような傾斜を有して存在し、また、第２分離体３６と右側壁部３１Ｂが、第２テープ体２２における第２ポスト２２１を咬合部５０から遠ざけるような傾斜を有して存在する。
従って、図１２（Ｂ）に示すように、チャック凹部２１２が開いた咬合部５０から、チャック凹部２１２とチャック凸部２２２が離れていくことになり、図１５に示すように、当該チャック凹部２１２ｂと、第２テープ体２２におけるチャック凸部２２２ｂとの咬合が開放される。
【００６７】
更に、図１１の位置（Ｃ）においては、位置（Ｂ）と同様に溝部３４が狭いため、チャック凹部２１２ｂが開いた状態となるとともに、第１分離体３５と左側壁部３１Ａが、第１テープ体２１における第１ポスト２１１を、また、第２分離体３６と右側壁部３１Ｂが、第２テープ体２２における第２ポスト２２１を、図１１の位置（Ｂ）の場合よりも咬合部５０から更に遠ざけるようにするため、図１２（Ｃ）に示すように、咬合部５０からチャック凹部２１２ｂとチャック凸部２２２ｂとが更に離れることになる。
【００６８】
そして、図１１の位置（Ｄ）においては、溝部３４の巾は、図１１（Ａ）と同様に、ピンチ用リブ２１３を収納するのに十分な大きさの巾に戻ることになるが、前記した図１２（Ｂ）及び図１２（Ｃ）において、開放状態となったチャック凹部２１２ｂとチャック凸部２２２ｂとが、スライダ３０内部に形成された第２分離体３６と右側壁部３１Ｂの傾斜によって更に離れた状態となるため、図１２（Ｄ）に示すように、咬合部５０は略開ききった状態となる。
【００６９】
以上説明した第２実施形態に係るスライダ付きチャックテープ４０を備えた袋体１は、前記した第１実施形態において説明したと同様に、スライダ３０をチャックテープ２０に沿ってスライドさせることにより、前記した図１２（Ａ）ないし図１２（Ｄ）の咬合部５０の開閉状態が平行移動することにより、袋体１の開閉を自在に行うことができる。
【００７０】
前記の第２実施形態のスライダ付きチャックテープ４０及び当該チャックテープ４０を備えた袋体１によれば、第１実施形態で述べた効果に加え、以下のような効果を有する。
（６）チャック凹部２１２ｂの形状を先端に爪部２１４ｂを有する略ハの字形状とし、また、チャック凸部２２２ｂの形状を２つの鈎爪形状のチャック凸部２２２ｂとしたため、咬合部５０の開放及び閉止をスムースに行うことができる。
【００７１】
（７）左側壁部３１Ａがスライダ３０の内部において咬合部５０の開放方向に向かって外側に傾斜を付け、また、右側壁部３１Ｂがスライダ３０の内部において咬合部５０の開放方向に向かって外側に傾斜を付けて配設されていることより、咬合部５０の開閉状態の調節を更に好適に行うことができ、密封性により一層優れたスライダ付きチャックテープ４０の提供を可能とする。
【００７２】
［第３実施形態］
更に、本発明の第３実施形態について説明する。
前記した第１実施形態では、第１テープ体２１におけるチャック凹部２１２は、チャック基部２１０から見て当該チャック凹部２１２の背面に形成されたピンチ用リブ２１３の巾を広狭することと連動して、閉じた状態と開いた状態が調整されるものであった。
そして、かかるピンチ用リブ２１３は、スライダ３０の内部に形成されている溝部３４に収納され、当該溝部３４の巾の広狭によりピンチ用リブ２１３の巾を狭める応力がかかることになり、それに連動してチャック凹部２１２の開閉が行われ、第２テープ体２２に形成されたチャック凸部２２２との咬合状態を調整する構成をとっていた。
【００７３】
これに対して、本実施形態においては、第１テープ体２１に対して、チャック凹部２１２の背面にはピンチ用リブ２１３を形成しておらず、また、スライダ３０内部に溝部３４を形成する代わりに、スライダ３０内部に突起部３９を形成する点において相違する。
【００７４】
図１３ないし図１５は、本実施形態におけるスライダ３０を示した図であり、図１３はスライダ３０の正面図（図中、破線は奥側である左側壁部３１Ａにおける形状を示している）、図１４は底面図、図１５は図１４のXV−XV断面図、をそれぞれ示している。
ここで、突起部３９は、図１３に示されるスライダ３０の正面図から見て略中央位置から開放側（図１３における右側）に向かい、また、図１５のスライダ３０の断面図に示されるように、スライダの３０内部に配設される第１分離体３５の下方に位置して配設されている。この突起部３９は、配設されるスライダ３０の略中央位置から開放側に向かって高くなるように形成されている。
【００７５】
スライダ３０の内部には、図１４及び図１５に示されるように、第１分離体３５及び第２分離体３６が配設されている。このうち、第２分離体３６は、第１実施形態と同様に、対面する右側壁部３１Ｂに対して、当該右側壁部３１Ｂと第２分離体３６との巾を狭めるように傾斜が付けられて配設されているものである。また、第１分離体３５も、対面する左側壁部３１Ａに対して、当該左側壁部３１Ａと第１分離体３５との巾を狭めるように傾斜が付けられて配設されている。
【００７６】
図１６は、本実施形態におけるスライダ付きチャックテープ４０の断面図である。図１６に示されるように、当該スライダ付きチャックテープ４０を構成するチャックテープ２０における第１テープ体２１は、第１実施形態と比較して、チャック凹部２１２の背面に対してピンチ用リブ２１３を形成しない点において異なるものである。一方、当該チャック凹部２１２の開閉状態は、スライダ３０に配設され、スライダ３０の略中央位置から開放側に向かって高くなるように形成された突起部３９による、チャック凹部２１２に対する背面からの押圧によって調整される。
【００７７】
本実施形態のチャックテープ２０にスライダ３０を備えるスライダ付きチャックテープ４０において、図１３に示されるスライダ３０の正面図を基準とした（Ａ）（Ｂ）（Ｃ）の各位置に対応したチャックテープ２０の咬合部５０の状態を、図１７を用いて説明する。
まず、図１３の位置（Ａ）においては、第１テープ体２１におけるチャック凹部２１２の背面には、スライダ３０内面部における突起部３９は存在しないため、チャック凹部の背面は押圧されることもない。従って、図１７（Ａ）に示すように、チャック凹部２１２は閉じた状態となって、第２テープ体２２のチャック凸部２２２と咬合した状態となる。なお、本実施形態においては、左側壁部３１Ａには、第１テープ体２１のチャック基部２１０の背面側に設けられた脱落防止用リブ２１８を収納するリブ収納部３８が設けられている。
【００７８】
次に、図１３の位置（Ｂ）においては、第１テープ体２１におけるチャック凹部２１２の背面において、スライダ３０の左側壁部３１Ａに設けられた突起部３９が存在するとともに、当該突起部３９がチャック凹部２１２の背面を押圧することになる。本実施形態においては、当該背面に対して突起状のリブ２１５が形成されており、当該リブ２１５を突起部３９が押圧することになる。このようにして、チャック凹部２１２の背面が押圧されることに連動して、チャック凹部２１２が開くことになる。
【００７９】
更には、この位置（Ｂ）においては、スライダ３０の内部において、第１分離体３５が、第１テープ体２１における第１ポスト２１１を咬合部５０から遠ざけるような傾斜を有して存在するとともに、第２分離体３６も、第２テープ体２２における第２ポスト２２１を咬合部５０から遠ざけるような傾斜を有して存在する。従って、チャック凹部２１２が開いた咬合部５０から、チャック凹部２１２とチャック凸部２２２とが離れることになり、図１７（Ｂ）に示すように、第１テープ体２１における当該チャック凹部２１２と、第２テープ体２２におけるチャック凸部２２２との咬合状態が開放されていく。
【００８０】
そして、図１３の位置（Ｃ）においては、スライダ３０の左側壁部３１Ａに設けられた突起部３９の高さが更に高くなるため、前記した位置（Ｂ）よりもチャック凹部２１２の背面を押圧する度合いが大きくなり、それに連動して、チャック凹部２１２が更に大きく開くことになる。また、第１分離体３５及び第２分離体３６の傾斜によって、チャック凹部２１２とチャック凸部２２２が更に離れることとなるため、図１７（Ｃ）に示すように、チャック凹部２１２とチャック凸部２２２からなる咬合部５０は開放状態となる。
【００８１】
本実施形態におけるスライダ付きチャックテープを備えた袋体１も、前記した第１実施形態のところで説明したと同様に、スライダ３０をチャックテープ２０に沿ってスライドさせることにより、前記した図１７（Ａ）ないし図１７（Ｃ）の咬合部５０の開閉状態が平行移動して、袋体１の開閉を自在に行うことができる。
【００８２】
以上説明した第３実施形態によれば、第１実施形態で述べた効果（（１）を除く）に加え、以下のような効果を有する。
（８）スライダ３０の内部に突起部３９を設け、当該突起部３９の高さが咬合部５０の閉止側から開放側に向かって高くなっているため、当該突起部３９の高さによりチャックテープの背面部を押す力の強さを調節できる。また、かかる調節に連動して咬合部５０の咬合状態をも調節することができるため、咬合部５０の開放と閉止を確実に行うことができ、密封性に優れたスライダ付きチャックテープ４０を提供する。
【００８３】
なお、本発明は前記した各実施形態に限定されるものではなく、本発明の目的を達成できる範囲での変形や改良は、本発明に含まれるものである。
例えば、前記した各実施形態においては、チャックテープ２０の咬合部５０として、略Ｃ字形状のチャック凹部２１２と略キノコ傘状の先端部２２５を備える突起物であるチャック凸部２２２との組み合わせ、及び先端に爪部２１４ｂを有する略ハの字形状のチャック凹部２１２ｂと２つの鈎爪形状のチャック凸部２２２ｂとの組み合わせを示したが、これには限定されず、互いに咬み合わさる構成をとるのであれば咬合部５０の形状は任意のものであってよい。
【００８４】
また、第１分離体３５及び第２分離体の３６の形状も、板状突起のものを示したが、これには限定されず、案内面としての機能を発揮できるものであればこれも形状は任意のものであってもよい。
その他、本発明の実施における具体的な構造及び形状等は、本発明の目的を達成できる範囲で他の構造等としてもよい。
【産業上の利用可能性】
【００８５】
本発明のスライダ付きチャックテープ及び当該チャックテープを備えた袋体は、食料品、医薬品、電子部品、事務用品等の包装材として広く利用することができるスライダ付きチャックテープ及び当該チャックテープを備えた袋体である。
【図面の簡単な説明】
【００８６】
【図１】本発明の第１実施形態における袋体を示す平面図である。
【図２】前記実施形態におけるスライダ付きチャックテープの閉止方向から見た図である。
【図３】前記実施形態におけるピンチ用リブの巾とチャック凹部の連動状態を示した説明図である。
【図４】前記実施形態におけるスライダの正面図である。
【図５】前記実施形態におけるスライダの底面図である。
【図６】前記実施形態におけるスライダのVI−VI断面図である。
【図７】前記実施形態におけるスライダ内の各位置におけるチャックテープの咬合状態の説明図である。
【図８】本発明の第２実施形態におけるスライダ付きチャックテープの閉止方向から見た図である。
【図９】前記実施形態におけるピンチ用リブの巾とチャック凹部の連動状態を示した説明図である。
【図１０】前記実施形態におけるスライダの底面図である。
【図１１】前記実施形態におけるスライダのXI−XI断面図である。
【図１２】前記実施形態におけるスライダ内の各位置におけるチャックテープの咬合状態の説明図である。
【図１３】本発明の第３実施形態におけるスライダの正面図である。
【図１４】前記実施形態におけるスライダの底面図である。
【図１５】前記実施形態におけるスライダのXV−XV断面図である。
【図１６】前記実施形態におけるスライダ付きチャックテープの閉止方向から見た図である。
【図１７】前記実施形態におけるスライダ内の各位置におけるチャックテープの咬合状態の説明図である。
【符号の説明】
【００８７】
１…袋体、１０…袋本体、１１…ヒートシール部、１２…開口部、２０…チャックテープ、２１…第１テープ体、２２…第２テープ体、２３…シール部、３０…スライダ、３１…側壁部、３１Ａ…左側壁部、３１Ｂ…右側壁部、３２…上壁部、３３…スライダ本体、３４…溝部、３５…第１分離体、３６…第２分離体、３７，３８…リブ収納部、３９…突起部、４０…スライダ付きチャックテープ、５０…咬合部、２１０…チャック基部、２１１…第１ポスト、２１２，２１２ｂ…チャック凹部、２１３…ピンチ用リブ、２１３Ａ，２１３Ｂ…突起部、２１４，２１４ｂ…爪部、２１５…リブ、２１６…溶着シール部、２１７…空間部、２１８…脱落防止用リブ、２２０…チャック基部、２２１…第２ポスト、２２２，２２２ｂ…チャック凸部、２２３…支柱、２２４…脱落防止用リブ、２２５…先端部、２２６…溶着シール部
【図１】
2005152316.tif 000003
【図２】
2005152316.tif 000004
【図３】
2005152316.tif 000005
【図４】
2005152316.tif 000006
【図５】
2005152316.tif 000007
【図６】
2005152316.tif 000008
【図７】
2005152316.tif 000009
【図８】
2005152316.tif 000010
【図９】
2005152316.tif 000011
【図１０】
2005152316.tif 000012
【図１１】
2005152316.tif 000013
【図１２】
2005152316.tif 000014
【図１３】
2005152316.tif 000015
【図１４】
2005152316.tif 000016
【図１５】
2005152316.tif 000017
【図１６】
2005152316.tif 000018
【図１７】
2005152316.tif 000019